(57)【要約】【課題】コストを上昇させることなく、浸水防止性能を向上させることができるヒートポンプ式給湯機を提供すること。【解決手段】圧縮機１と、水冷媒熱交換器２と、減圧装置３と、蒸発器４と、湯水を貯える貯湯タンク７と、貯湯タンク７から水冷媒熱交換器２に湯水を送水する循環ポンプ８と、蒸発器４に送風する送風ファン６と、前記各機器を一体的に収納する筐体１３とを備え、筐体１３の一方側に貯湯タンク７と、筐体１３の他方側に送風ファン６を配設し、筐体１３の前面部は、タンク前板２２とファン前板２１で構成され、タンク前板２２の端部に設けた係止爪を、ファン前板２１の端部に設けた係止孔に挿入することで、筐体１３の前面部を形成し、ファン前板２１の内面で、かつ、前記係止孔の周囲を蓋うように防水蓋を設け、前記防水蓋の一部に所定空間を形成する。【選択図】図１
2008209089.tif 000002
【特許請求の範囲】
【請求項１】
冷媒を圧縮する圧縮機と、水と冷媒が熱交換を行う水冷媒熱交換器と、冷媒を減圧する減圧装置と、空気から吸熱する蒸発器と、湯水を貯える貯湯タンクと、前記貯湯タンクから前記水冷媒熱交換器に湯水を送水する循環ポンプと、前記蒸発器に送風する送風ファンと、前記各機器を一体的に収納する筐体とを備え、前記筐体の一方側に前記貯湯タンクと、前記筐体の他方側に前記送風ファンを配設し、前記筐体の前面部は、タンク前板とファン前板で構成され、前記タンク前板の端部に設けた係止爪を、前記ファン前板の端部に設けた係止孔に挿入することで、前記筐体の前面部を形成し、前記ファン前板の内面で、かつ、前記係止孔の周囲を蓋うように防水蓋を設け、前記防水蓋の一部に所定空間を形成するとともに、前記係止爪を前記所定空間に収納したことを特徴とするヒートポンプ式給湯機。
【請求項２】
前記筐体の側部を構成する側板と、前記タンク前板との接合部は、前記タンク前板に設けた係止爪を、前記側板に設けた係止孔に挿入することで形成され、前記側板の内面で、かつ、前記係止孔の周囲を覆うように防水蓋を設け、前記防水蓋の一部に所定空間を形成するとともに、前記係止爪を前記所定空間に収納したことを特徴とする請求項１に記載のヒートポンプ式給湯機。
【請求項３】
前記防水蓋の一部に形成した所定空間の上方部を開いて構成し、前記防水蓋の上端部は、前記係止孔の下端部よりも上方に位置することを特徴とする請求項１または２に記載のヒートポンプ式給湯機。
【請求項４】
前記防水蓋は弾力性のある材質で構成したことを特徴とする請求項１〜３のいずれか１項に記載のヒートポンプ式給湯機。
【請求項５】
前記ファン前板と前記タンク前板との接合および／または前記タンク前板と前記側板との接合は、不織布を介して行うことを特徴とする請求項１〜４のいずれか１項に記載のヒートポンプ式給湯機。
【発明の詳細な説明】
【技術分野】
【０００１】
本発明は、ヒートポンプ式給湯機に係り、特にヒートポンプ式給湯機の外装構造に関するものである。
【背景技術】
【０００２】
従来、圧縮機、水冷媒熱交換器、減圧装置、蒸発器を冷媒配管で順次環状に接続したヒートポンプサイクルと、貯湯タンク、水ポンプ、前記水冷媒熱交換器を給湯配管で順次環状に接続した給湯サイクルとを有し、それぞれのサイクルを構成する各機器をヒートポンプユニットと、タンクユニットに分けて収納した分離型のヒートポンプ式給湯機がある。
【０００３】
一方、分離型のヒートポンプ式給湯機の設置面積はヒートポンプユニットと、タンクユニットに分けて設置するため、比較的広い設置面積を要し、家屋等の状況によっては、設置できない場合がある。しかしながらヒートポンプ式給湯機の需要拡大に伴い、消費者の様々なニーズに応えるべく、ヒートポンプ式給湯機としての設置面積を狭小化するために、ヒートポンプサイクルと給湯サイクルとを同一の筐体内に収納した一体型ヒートポンプ式給湯機が提案されている（例えば、特許文献１参照）。
【特許文献１】特開２００５−２６５２１３号公報
【発明の開示】
【発明が解決しようとする課題】
【０００４】
しかしながら、筐体内部に配設される電装部品に対して雨水の浸水対策のため、電装部品の各構成要素毎に防滴仕様部品を採用するなど、個々の部品に対して浸水対策を施した部品を採用するので、一つ一つの電装部品が特別に用意しなくてはならず、コストを上昇させるものであった。
【０００５】
本発明は、従来の課題を解決するもので、コストを上昇させることなく、浸水防止性能を向上させることができるヒートポンプ式給湯機を提供することを目的とする。
【課題を解決するための手段】
【０００６】
前記従来の課題を解決するために、本発明のヒートポンプ式給湯機は、冷媒を圧縮する圧縮機と、水と冷媒が熱交換を行う水冷媒熱交換器と、冷媒を減圧する減圧装置と、空気から吸熱する蒸発器と、湯水を貯える貯湯タンクと、前記貯湯タンクから前記水冷媒熱交換器に湯水を送水する循環ポンプと、前記蒸発器に送風する送風ファンと、前記各機器を一体的に収納する筐体とを備え、前記筐体の一方側に前記貯湯タンクと、前記筐体の他方側に前記送風ファンを配設し、前記筐体の前面部は、タンク前板とファン前板で構成され、前記タンク前板の端部に設けた係止爪を、前記ファン前板の端部に設けた係止孔に挿入することで、前記筐体の前面部を形成し、前記ファン前板の内面で、かつ、前記係止孔の周囲を蓋うように防水蓋を設け、前記防水蓋の一部に所定空間を形成するとともに、前記係止爪を前記所定空間に収納したことを特徴とするものである。
【０００７】
これによって、筐体を構成する構成板同士を接合させる接合部において防水蓋を設けているので、接合部の一方の構成板に設けた係止孔から筐体内部に水が浸入することを防止するので、浸水防止機能を向上させることができる。
【発明の効果】
【０００８】
本発明は、コストを上昇させることなく、浸水防止性能を向上させることができるヒートポンプ式給湯機を提供することができる。
【発明を実施するための最良の形態】
【０００９】
第１の発明のヒートポンプ式給湯機は、冷媒を圧縮する圧縮機と、水と冷媒が熱交換を行う水冷媒熱交換器と、冷媒を減圧する減圧装置と、空気から吸熱する蒸発器と、湯水を貯える貯湯タンクと、前記貯湯タンクから前記水冷媒熱交換器に湯水を送水する循環ポンプと、前記蒸発器に送風する送風ファンと、前記各機器を一体的に収納する筐体とを備え、前記筐体の一方側に前記貯湯タンクと、前記筐体の他方側に前記送風ファンを配設し、前記筐体の前面部は、タンク前板とファン前板で構成され、前記タンク前板の端部に設けた係止爪を、前記ファン前板の端部に設けた係止孔に挿入することで、前記筐体の前面部を形成し、前記ファン前板の内面で、かつ、前記係止孔の周囲を蓋うように防水蓋を設け、前記防水蓋の一部に所定空間を形成するとともに、前記係止爪を前記所定空間に収納したことにより、筐体の接合部からの浸水を防止することができる。
【００１０】
第２の発明のヒートポンプ式給湯機は、特に第１の発明において、前記筐体の側部を構成する側板と、前記タンク前板との接合部は、前記タンク前板に設けた係止爪を、前記側板に設けた係止孔に挿入することで形成され、前記側板の内面で、かつ、前記係止孔の周囲を覆うように防水蓋を設け、前記防水蓋の一部に所定空間を形成するとともに、前記係止爪を前記所定空間に収納したことにより、筐体の複数箇所の接合部において、防水蓋による浸水防止機能を向上させることができる。
【００１１】
第３の発明のヒートポンプ式給湯機は、特に第１または第２の発明において、前記防水蓋の一部に形成した所定空間の上方部を開いて構成し、前記防水蓋の上端部は、前記係止孔の下端部よりも上方に位置することにより、所定空間の上方部を開いた構成にしているので、防水蓋の材質をより少なく構成することで、コストを抑えることができるとともに、防水蓋の上端部が、掛止穴の下端部よりも上方に位置するように構成するので、防水蓋の上端部を開いた構成にしたとしても、確実に浸水を防止することができる。
【００１２】
第４の発明のヒートポンプ式給湯機は、特に第１から第３の発明において、前記防水蓋は弾力性のある材質で構成したことにより、浸水防止性能をさらに向上させることができる。
【００１３】
第５の発明のヒートポンプ式給湯機は、特に第１から第４の発明において、前記ファン前板と前記タンク前板との接合および／または前記タンク前板と前記側板との接合は、不織布を介して行うことにより、さらに防水性を高めることができる。
【００１４】
以下、本発明の実施の形態について、図面を参照しながら説明する。なお、この実施の形態によって本発明が限定されるものではない。
【００１５】
（実施の形態１）
図１は、本実施の形態におけるヒートポンプ式給湯機の構成図である。図２は、本実施の形態におけるヒートポンプ式給湯機の外観図である。図１、図２において、本発明のヒートポンプ式給湯機は、冷媒を圧縮する圧縮機１、水と冷媒とを熱交換する水冷媒熱交換器２、冷媒を減圧装置３、空気より吸熱する蒸発器４を冷媒配管５で順次環状に接続されたヒートポンプサイクルと、水冷媒熱交換器２、高温の湯を貯湯する貯湯タンク７、水冷媒熱交換器２に水を送水する水ポンプ８を給湯配管で順次環状に接続された給湯サイクルとで構成され、ヒートポンプサイクルおよび給湯サイクルとを一体的に収納する筐体１３を有する。
【００１６】
また、蒸発器４に送風する送風ファン６を備え、略Ｌ字形状の蒸発器４の前面側に２個の送風ファン６が配設される。また、ヒートポンプサイクルおよび給湯サイクルを構成す
る機器を制御する制御装置などが中に収納された電装制御部１４が送風ファン６の上方部に配設されている。また、貯湯タンク７の前面部には各種給湯配管および主電源箱１５が配設されている。
【００１７】
一方、上記各構成機器を収納する筐体１３は、図２（ｄ）、図２（ｅ）に示すように、筐体の前面部は、送風ファン６の前面部を構成するファン前板２１と、貯湯タンク７の前面部を構成するタンク前板２２と、貯湯タンク７から給湯端末等に接続される給湯配管の接続口の前面部を構成する給湯口前板２３から構成される。また、筐体の側面部の貯湯タンク７側には側板２４が配設され、送風ファン６側には、蒸発器４を略Ｌ字形状で構成して吸熱能力を向上させているので側板等の送風抵抗となるようなものは設けていない。ただし、送風ファン６側の側板は、送風抵抗を考慮して構成したもの（例えば、側板に複数の送風口を設けたもの）を配設することは可能である。また、筐体の背面部には背面板２５を設けており、貯湯タンク７の出っ張り部を設けた構成となっている。また蒸発器４の背面側には、送風抵抗となるため背面板を設けていない。また、筐体の天面部は天面板２６で、筐体の底面部は基板２７で構成されており、それぞれの板が接合されることで筐体１３を構成している。
【００１８】
ファン前板２１は、基板２７で固定され、天面板２６に内接し、タンク前板２２は、給湯端末への給湯配管に接続する各種接続口を配設した給湯接続口板２８で固定され、天面板２６に内接している。また側板２４および背面板２５は、基板２７で固定され、天面板２６に内接している。天面板２６に内接しているそれぞれの板は、図２のＡ部（一部だけ図示）にて螺着されている。なおＡ部は一実施例であり、この箇所に限定されるものではない。
【００１９】
以上のように構成されたヒートポンプ式給湯機について、以下筐体の前面部を構成するタンク前板の取り付け動作、作用を説明する。
【００２０】
図３（ａ）、図３（ｂ）は、タンク前板の取り付け説明図である。図３（ａ）、図３（ｂ）において、二点鎖線で囲ったＷ部、Ｘ部、Ｙ部、Ｚ部の拡大図を図４に示す。また、図５（ａ）には、タンク前板２２と接合するファン前板２１の端部の要部拡大図（Ｗ部、Ｘ部におけるファン前板２１の要部拡大図）を示し、図５（ｂ）は、図５（ａ）中に示すＢ方向から見た正面図である。また、図６（ａ）には、ファン前板２１と接合するタンク前板２２の端部の要部拡大図（Ｗ部、Ｘ部におけるタンク前板２２の要部拡大図）を示し、図６（ｂ）は、図６（ａ）中に示すＣ方向から見た正面図である。
【００２１】
図３、図４において、ファン前板２１および側板２４を基板２７と螺着させたあと、ファン前板２１および側板２４の上端部が天面板２６に内接するように、天面板２６を上方部より被せて、ファン前板２１および側板２４の上端部と、天面板２６とを図２に示すＡ部にて螺着させる。
【００２２】
次に図３（ｂ）に示すように、タンク前板２２の上端部を、天面板２６の内方側に挿入し、タンク前板２２の上端部を回転軸となるように、タンク前板２２の下端部を筐体方向に接近させる。一方、図５および図６に示すように、ファン前板２１の端部には係止孔５１が、タンク前板２２の端部には係止爪６１が設けられており、タンク前板２２の下端部を筐体方向に接近させるとともに、係止爪６１を係止穴５１に挿入することによって位置決めを行い、タンク前板２２の下端部を、給湯接続口板２８に当接させ、螺着させる。
【００２３】
図７（ａ）は図４におけるＩ−Ｉ断面図および、図７（ｂ）は図４におけるＨ−Ｈ断面図である。図７に示すように係止穴５１の内面側には、防水蓋７１が設けられており、防水蓋７１の一部には所定の空間７２を設けている。そして前述したように、係止孔５１に
、係止爪６１を挿入するときに、所定の空間７２内に係止爪６１が収まるようにする。そのため、係止孔５１から雨水などの水滴が浸水したとしても、所定の空間７１を有した防水蓋７１があるため、雨水などが所定の空間７１に溜まるため、筐体内部への浸水を防止することができる。
【００２４】
また、図８に示すように、防水蓋７１の上端部（Ｔ）は、係止孔５１の下端部（Ｕ）よりも上方に位置する。そのため、防水蓋７１内に浸水し、水が溜まったとしても、係止孔５１の下端部（Ｕ）よりも防水蓋７１の上端部（Ｔ）を上方に位置させておくので、確実に筐体内への浸水を防止することができる。なぜならば、係止孔５１が開口しているため、所定の空間７１に溜まった水の水面は、係止孔５１の下端部（Ｕ）よりも上方になることがなく、もし、係止孔５１の下端部（Ｕ）よりも下方に防水蓋７１の上端部（Ｔ）があれば、上端部（Ｔ）より水があふれてしまい、筐体内に浸水してしまう可能性があるため、防水蓋７１の上端部（Ｔ）を、係止孔５１の下端部（Ｕ）よりも上方に位置させておくことで、確実に筐体内への浸水を防止することができる。
【００２５】
また、図７（ａ）に示すように、ファン前板２１とタンク前板２２との間には、給水可能な不織布７３を介在しており、より浸水防止効果を向上させている。
【００２６】
以上が、ファン前板２１とタンク前板２２との接合方法であるが、ファン前板２１とタンク前板２２との接合と同様に、側板２４とタンク前板２２との接合について説明する。図９（ａ）には、タンク前板２２と接合する側板２４の端部の要部拡大図（Ｙ部、Ｚ部における側板２４の要部拡大図）を示し、図９（ｂ）は、図９（ａ）中に示すＤ方向から見た正面図である。また図１０（ａ）には、側板２４と接合するタンク前板２２の端部の要部拡大図（Ｙ部、Ｚ部におけるタンク前板２２の要部拡大図）を示し、図１０（ｂ）は、図１０（ａ）中に示すＥ方向から見た正面図である。
【００２７】
図９、図１０において、側板２４のタンク前板２２と接合する端部には、係止孔９１を設け、一方、タンク前板２２の係止孔９１に相対する箇所には、係止爪１０１が設けられており、タンク前板２２とファン前板２１との接合と同様に、タンク前板２２と側板２４との接合に際しても、図１１に示すように、係止爪１０１が係止孔９１に挿入することによって位置決めされ、ファン前板２１と同様に、係止孔９１の内面側には防水蓋（図示せず）が設けられている。なお、防水蓋の構造は、ファン前板２１に設けた防水蓋７１と同様の構造である。また、タンク前板２２と側板２４との間には、不織布１１１を設けることで浸水防止性を向上することができる。
【００２８】
以上、図１２に示すようにファン前板２１には係止孔５１を設け、側板２４には係止孔９１を設け、タンク前板２２に係止爪６１および係止爪１０１とを設けることにより、係止孔５１と係止爪６１および係止孔９１と係止爪１０１が互いに係止されることによりタンク前板の位置決めがされると同時に、図７（ａ）に示すように、係止孔５１（係止孔９１も同様）の内面側には防水蓋７１を設けることで、筐体内への浸水を防止することができる。なお図１２に示す矢印は、タンク前板２２の取り付け方向を示すものである。
【００２９】
また、防水蓋７１には弾力性のある材質で構成したことにより、筐体との密着性が向上し、ひいては浸水を防止する効果が向上する。
【００３０】
次に、図１３（ａ）、図１３（ｂ）、図１４を用いて、給湯接続口を保護カバーする給湯口前板２３の取り付け方法について説明する。図１３は給湯口前板２３の正面図および側面図であり、図１４は給湯口前板２３の要部拡大図（Ｆ部拡大図）である。図１３において、ファン前板２１の側部より突出している凸状のピン１３１に挿入可能な係合穴１３２を、給湯口前板２３に設けている箇所をＦ部で示し、そのＦ部拡大図を図１４に示す。
【００３１】
給湯口前板２３の取り付けは、ピン１３１と係合穴１３２とを嵌め合わせて、さらに係合穴１３２を形成した端部とは反対の端部で、給湯接続口板２８と螺着されることで取り付けられる。このように、頻繁に作業が行われる給湯接続口周辺部だけ独立した前板を外せる構成となっているので、作業性能が向上するとともに、サービス性も向上させることができる。
【産業上の利用可能性】
【００３２】
以上のように、本発明は、防水性能を向上させた一体型ヒートポンプ式給湯機を提供できる。
【図面の簡単な説明】
【００３３】
【図１】本発明の第１の実施の形態におけるヒートポンプ式給湯機の構成図
【図２】（ａ）同実施の形態におけるヒートポンプ式給湯機の天面部分解図、（ｂ）同実施の形態におけるヒートポンプ式給湯機の正面部分解図、（ｃ）同実施の形態におけるヒートポンプ式給湯機の側面部分解図、（ｄ）同実施の形態におけるヒートポンプ式給湯機の正面部外観図、（ｅ）同実施の形態におけるヒートポンプ式給湯機の側面部外観図
【図３】（ａ）同実施の形態におけるタンク前板の取り付け説明正面図、（ｂ）同実施の形態におけるタンク前板の取り付け説明側面図
【図４】同実施の形態における要部拡大図
【図５】（ａ）同実施の形態における要部断面図、（ｂ）同正面図
【図６】（ａ）同実施の形態における要部断面図、（ｂ）同正面図
【図７】（ａ）同実施の形態における要部断面図（Ｉ−Ｉ断面図）、（ｂ）同実施の形態における要部断面図（Ｈ−Ｈ断面図）
【図８】同実施の形態における要部断面図
【図９】（ａ）同実施の形態における要部断面図、（ｂ）同正面図
【図１０】（ａ）同実施の形態における要部断面図、（ｂ）同正面図
【図１１】同実施の形態における要部断面図
【図１２】同実施の形態におけるタンク前板の取り付け図
【図１３】（ａ）同実施の形態における給湯前板の取り付け正面図、（ｂ）同実施の形態における給湯前板の取り付け側面図
【図１４】同実施の形態における要部拡大図
【符号の説明】
【００３４】
１  圧縮機
２  給湯用熱交換器
３  減圧装置
４  蒸発器
５  冷媒配管
６  送風ファン
７  貯湯タンク
８  水ポンプ
９  給湯配管
１３  筐体
２１  ファン前板
２２  タンク前板
２４  側板
５１  係止孔
６１  係止爪
７１  防水蓋
【図１】
2008209089.tif 000003
【図２】
2008209089.tif 000004
【図３】
2008209089.tif 000005
【図４】
2008209089.tif 000006
【図５】
2008209089.tif 000007
【図６】
2008209089.tif 000008
【図７】
2008209089.tif 000009
【図８】
2008209089.tif 000010
【図９】
2008209089.tif 000011
【図１０】
2008209089.tif 000012
【図１１】
2008209089.tif 000013
【図１２】
2008209089.tif 000014
【図１３】
2008209089.tif 000015
【図１４】
2008209089.tif 000016